(57)【要約】【課題】本発明は除湿装置に関するものであり、洗濯後の衣類の乾燥速度をさらなる向上を図ることを目的とするものである。【解決手段】制御部３４が、第１のモータ２４と第２のモータを異なる動作速度に制御する第１の制御を搭載することで、第１の風向変更部１６と第２の風向変更部１７を異なる動作速度に制御することにより、風向変更部を介して吹出される送風は連続的に風向と風速がランダムに変更されて、干された衣類に当たる風向と風速がランダムに変わることで、衣類に当たる送風の表面積が大きくなり、乾きムラを低減することで衣類乾燥速度を向上することができる。【選択図】図３
2018071792.tif 000002
【特許請求の範囲】
【請求項１】
吸込口と吹出口を有する本体ケースと、
前記本体ケースに設けられた除湿部と、
前記吸込口から吸い込んだ空気を前記除湿部を介して前記吹出口へ送風する送風部と、
前記吹出口に移動自在に設けられた第１の風向変更部と第２の風向変更部と、
前記第１の風向変更部を移動させる第１の移動部と、
前記第２の風向変更部を移動させる第２の移動部と、
前記第１の移動部と前記第２の移動部とを制御する制御部とを備え、
前記制御部は、前記第１の移動部と前記第２の移動部との動作速度が異なるように制御する第１の制御を備えたことを特徴とする除湿装置。
【請求項２】
前記制御部は、前記第１の制御における前記第１の移動部と前記第２の移動部との動作速度を、一定時間ごとに変化させる制御である第２の制御を備えたことを特徴とする請求項１記載の除湿装置。
【請求項３】
前記制御部は、前記第１の移動部と前記第２の移動部との動作速度を、一定時間ごとに入れ替える制御である第３の制御を備えたことを特徴とする請求項１または２に記載の除湿装置。
【請求項４】
前記制御部は、前記第１の移動部と前記第２の移動部との動作速度を、一定時間同じ動作速度に制御する第４の制御を備えたことを特徴とする請求項１から３のいずれかに記載の除湿装置。
【請求項５】
前記第１の風向変更部と前記第２の風向変更部とが、動作方向に対して垂直方向に並んでいることを特徴とする請求項１から４のいずれかに記載の除湿装置。
【発明の詳細な説明】
【技術分野】
【０００１】
本発明は、例えば衣類乾燥用として用いられる除湿装置に関するものである。
【背景技術】
【０００２】
従来、この種の除湿装置は、上部に送風口を有する本体ケースと、この本体ケース内に設けられた除湿部および送風部と、前記送風口に設けた風向変更部とを備えたものであった。本体ケース内に除湿部を設けた除湿装置は、除湿能力が高いことから、衣類の乾燥用として積極的に活用されている。
【０００３】
すなわち、室内空気を前記除湿部で乾燥空気とし、この乾燥空気を洗濯後の衣類に向けて送風することにより、乾燥の効率化を図ろうとするもので、特に雨振り時や、冬の低温時のように洗濯物が乾きにくい時には、非常に重宝されるものである。（なお、これに関連する先行文献としては下記特許文献１がある）
【先行技術文献】
【特許文献】
【０００４】
【特許文献１】特開２００６−１０２５７８号公報
【発明の概要】
【発明が解決しようとする課題】
【０００５】
上記従来例における課題は、洗濯後の衣類の乾燥速度をさらに向上するということであった。
【０００６】
すなわち、従来の物においては、室内の空気を送風部によって本体ケース内に吸い込み、本体ケース内に設けられた除湿部によって、室内の空気を除湿し、この除湿空気を、送風部によって洗濯後に干された衣類に向けて送風するものである。ここで、洗濯後の衣類を乾燥させる場合には、送風空気の乾燥度、および送風される送風量と、送風が当たる衣類の表面積により、乾燥速度が決まるものである。特に、送風が当たらない部分では乾燥速度が非常に遅くなるため、送風を出来る限り衣類に当て、送風が当たる衣類の表面積を大きくすることが重要である。衣類に当てる送風の表面積を大きくする手段として、従来から、送風口から吹出される送風を自動可動する風向変更部を用いて大きくする方法があるが、風向変更部が一定リズムの風向変化および風速変化の作用にしか働かないため、衣類に当てる送風の表面積の拡大には限界があった。
【０００７】
そこで本発明は、洗濯後の衣類の乾燥速度のさらなる向上を図ることを目的とするものである。
【課題を解決するための手段】
【０００８】
そして、この目的を達成するために、本発明は、吸込口と吹出口を有する本体ケースと、前記本体ケースに設けられた除湿部と、前記吸込口から吸い込んだ空気を前記除湿部を介して前記吹出口へ送風する送風部と、前記吹出口に移動自在に設けられた第１の風向変更部と第２の風向変更部と、前記第１の風向変更部を移動させる第１の移動部と、前記第２の風向変更部を移動させる第２の移動部と、前記第１の移動部と前記第２の移動部とを制御する制御部とを備え、前記制御部は、前記第１の移動部と前記第２の移動部との動作速度が異なるように制御する第１の制御を備えたものであり、これにより所期の目的を達成するものである。
【発明の効果】
【０００９】
本発明によれば、吸込口と吹出口を有する本体ケースと、前記本体ケースに設けられた除湿部と、前記吸込口から吸い込んだ空気を前記除湿部を介して前記吹出口へ送風する送風部と、前記吹出口に移動自在に設けられた第１の風向変更部と第２の風向変更部と、前記第１の風向変更部を移動させる第１の移動部と、前記第２の風向変更部を移動させる第２の移動部と、前記第１の移動部と前記第２の移動部とを制御する制御部とを備え、前記制御部は、前記第１の移動部と前記第２の移動部との動作速度が異なるように制御する第１の制御を備えた構成としたことにより、第１の風向変更部と第２の風向変更部の位置は、お互いの速度が違うことで連続的にランダムな位置関係になり、それらを介して吹出される送風は連続的に風向と風速がランダムに変更される。その結果、干された衣類に当たる風向と風速がランダムに変わることで、衣類が揺れる作用が働き、揺れることでさらに衣類に当たる風向と風速がランダムに変わるという作用が生まれることで、衣類に当たる送風の表面積が大きくなり、乾きムラを低減することで衣類乾燥速度を向上できる。
【図面の簡単な説明】
【００１０】
【図１】本発明の実施の形態１の除湿装置の外観斜視図
【図２】同除湿装置の概略Ａ−Ａ断面図
【図３】同除湿装置の吹出口近傍の外観斜視図
【図４】同除湿装置のサイドケースを除いた風向変更部近傍の外観斜視図
【図５】同除湿装置のサイドケースを除いた吹出口近傍の外観斜視図
【発明を実施するための形態】
【００１１】
本発明の請求項１記載の除湿装置は、吸込口と吹出口を有する本体ケースと、本体ケースに設けられた除湿部と、吸込口から吸い込んだ空気を除湿部を介して吹出口へ送風する送風部と、吹出口に移動自在に設けられた第１の風向変更部と第２の風向変更部と、第１の風向変更部を移動させる第１の移動部と、第２の風向変更部を移動させる第２の移動部と、第１の移動部と第２の移動部とを制御する制御部とを備え、制御部は、前記第１の移動部と前記第２の移動部との動作速度が異なるように制御する第１の制御を備えた構成を有する。
【００１２】
これにより、第１の風向変更部と第２の風向変更部の位置は、お互いの速度が違うことで連続的にランダムな位置関係になり、それらを介して吹出される送風は連続的に風向と風速がランダムに変更されるので、干された衣類に当たる風向と風速がランダムに変わることで、衣類が揺れる作用が働き、揺れることでさらに衣類に当たる風向と風速がランダムに変わるという作用が生まれることで、衣類に当たる送風の表面積が大きくなり、乾きムラを低減することで衣類乾燥速度を向上できるという効果を奏する。
【００１３】
また、制御部は、第１の制御における第１の移動部と第２の移動部との動作速度を、一定時間ごとに変化させる制御である第２の制御を備えた構成としてもよい。
【００１４】
これにより、第１の風向変更部と第２の風向変更部の位置は、連続的にさらにランダムな位置関係になるので、衣類に当たる送風の表面積がさらに大きくなり、乾きムラを低減することでさらなる衣類乾燥速度の向上ができるという効果を奏する。
【００１５】
また、制御部は、第１の移動部と第２の移動部との動作速度を、一定時間ごとに入れ替える制御である第３の制御を備えた構成としてもよい。
【００１６】
これにより、第１の風向変更部と第２の風向変更部の位置は、連続的にさらにランダムな位置関係になるので、衣類に当たる送風の表面積がさらに大きくなり、乾きムラを低減することでさらなる衣類乾燥速度の向上ができるという効果を奏する。
【００１７】
また、第１の移動部と第２の移動部との動作速度を、一定時間同じ動作速度に制御する第４の制御を備えた構成としてもよい。
【００１８】
これにより、第１の風向変更部と第２の風向変更部の位置が、同じ速度で揃うことにより、移動する第１の風向変更部と第２の風向変更部の位置を定位置で固定する場合に、容易に希望する位置に風向変更部をＯＦＦにして停止することが出来るため、風向変更部の使い勝手を向上できるという効果を奏する。
【００１９】
また、第１の風向変更部と第２の風向変更部とが、動作方向に対して垂直方向に並んだ構成としてもよい。
【００２０】
これにより、第１の風向変更部と第２の風向変更部とが近接する部分においては、変更した風向と風速がその位置関係により相互的に影響するので、結果として風向と風速を大きくランダムに変化させることができるので、衣類に当たる送風の表面積がさらに大きくなり、乾きムラを低減することでさらなる衣類乾燥速度の向上ができるという効果を奏する。
【００２１】
以下、本発明の実施例について図面を参照しながら説明する。
【００２２】
（実施の形態１）
図１は、本発明の実施の形態１の除湿装置の外観斜視図である。図２は、本発明の実施の形態１の除湿装置の断面図である。
【００２３】
図１、図２に示すように、本体ケース１は箱型であり、この本体ケース１の側面には、左右ともに吸込口２が配置され、上部には吹出口３が配置されている。吹出口３は、横長四角形状で上方に開口している。
【００２４】
本体ケース１内には、圧縮機４と放熱器５と膨張器６と吸熱器７とを順次環状に連結し冷媒を循環する冷凍サイクルを設置し、室内空気を吸込口２から吹出口３に送風する送風部８を設置している。さらに、空気から水分を吸着する吸湿部９および、空気に水分を放出する放湿部１０を有する除湿ロータ１１を備え、放湿部１０に供給される空気、および放湿部１０を加熱する加熱部１２を備えている。
【００２５】
そして、本体ケース１内においては、順次、除湿ロータ１１、吸熱器７、放熱器５、送風部８の順に並設している。吸熱器７と放熱器５の上端は、同じ高さになるように配置されている。除湿ロータ１１は、円板状に形成され中心軸が水平方向にあるように回転可能に立設され、駆動部１３により回転している。さらに除湿ロータ１１の放湿部１０の風上側には、加熱部１２を設置している。放湿部１０と吸熱器７とは、対向するように配置されている。
【００２６】
また、本体ケース１内において、吸熱器７の下方には、漏斗状の集水部１４を設け、さらに、集水部１４の下方には集水タンク１５を、本体ケース１に対して着脱自在に配置している。つまり、吸熱器７部分で結露をさせ、その結露水を漏斗状の集水部１４で集めて集水タンク１５に流入させるようにしているのである。
【００２７】
図３は、本発明の実施の形態１の除湿装置の吹出口近傍の外観斜視図である。図４は、本発明の実施の形態１の除湿装置のサイドケースを除いた風向変更部近傍の外観斜視図である。
【００２８】
図３、図４に示すように、上方に開口した吹出口３の上方に第１の風向変更部１６と第２の風向変更部１７とが、回動自在に設けられている。第１の風向変更部１６は、第１の移動部１８によって上下方向に回動するように移動し、第２の風向変更部１７は、第２の移動部（図示せず）によって上下方向に回動するように移動する。
【００２９】
第１の風向変更部１６は、略平板形状の第１の風向板２０と、第１の風向板２０の左右端部から水平方向へ延びた２本の第１の軸部分２１とを備えている。吹出口３には、２本の軸部分を支持する２つの第１の支持部分２２が設けられている。第１の軸部分２１の一方側には、第１のギア２３が固定されている。
【００３０】
第１の移動部１８は、第１のモータ２４と、第１のモータ２４の回転軸に固定された第１のモータギア２５とを備えている。第１のモータギア２５は、第１のギア２３と噛み合い、第１のモータ２４が駆動すると、第１のモータギア２５が回動し、第１のギア２３、第１の軸部分２１を介して、第１の風向板２０が回動する。
【００３１】
第２の風向変更部１７は、横長四角形の略平板形状の第２の風向板２６と、第２の風向板２６の短辺から外方に水平方向へ延びた２本の第２の軸部分（図示せず）とを備えている。吹出口３には、２本の軸部分を支持する２つの第２の支持部分２８が設けられている。第２の軸部分の一方側には、第２のギア（図示せず）が固定されている。
【００３２】
第２の移動部（図示せず）は、第２のモータ（図示せず）と、第２のモータの回転軸に固定された第２のモータギア（図示せず）とを備えている。第２のモータギアは、第２のギアと噛み合い、第２のモータが駆動すると、第２のモータギアが回動し、第２のギア、第２の軸部分を介して、第２の風向板２６が回動する。
【００３３】
第１の風向変更部１６および第１の移動部１８と第２の風向変更部１７と第２の移動部は本体左右の中心において左右対称の構成である。
【００３４】
第１の風向変更部１６と第２の風向変更部１７とは、回動する方向に対して垂直方向に並んでいる。吹出口３における右側には、第１の風向変更部１６を備え、吹出口３における左側には、第２の風向変更部１７を備えている。第１の風向変更部１６である第１の風向板２０の第１の軸部分２１と、第２の風向変更部１７である第２の風向板２６の第２の軸部分とは、同軸上に配置され、本体ケース１における左右方向に延びている。
【００３５】
吹出口３における右側の端部には、第１のサイドケース３２ａを備え、第１のサイドケース３２ａ内には、第１のモータ２４と、第１のモータギア２５と、第１のギア２３とを備えている。第１のサイドケース３２ａの左側には、第１の風向板２０の一方側の第１の軸部分２１を支持する第１の支持部分２２を備えている。
【００３６】
吹出口３における左側の端部には、第２のサイドケース３２ｂを備え、第２のサイドケース３２ｂ内には、第２のモータと、第２のモータギアと、第２のギアとを備えている。第２のサイドケース３２ｂの右側には、第２の風向板２６の一方側の第２の軸部分を支持する第２の支持部分２８を備えている。
【００３７】
第１のサイドケース３２ａと第２のサイドケース３２ｂとの間には、吹出口３から上方へ突出した第３のサイドケース３２ｃを備えている。第３のサイドケース３２ｃの右側には、第１の風向板２０の他方側の第１の軸部分２１を支持する第１の支持部分２２を備え、第３のサイドケース３２ｃの左側には、第２の風向板２６の他方側の第２の軸部分を支持する第２の支持部分２８を備えている。
【００３８】
図５は、本発明の実施の形態１の除湿装置のサイドケースを除いた吹出口近傍の外観斜視図である。
【００３９】
図５に示すように、本体ケース１の上部には、操作部３３と、制御部３４とを備えている。操作部３３によって、運転モードを設定すると、制御部３４が、第１のモータ２４と第２のモータの動作を制御する。この制御部３４により、第１の風向変更部１６と第２の風向変更部１７は約９０度の角度で回転往復運動を繰り返す動作を行う。
【００４０】
本実施形態の特徴は、制御部３４が、第１のモータ２４と第２のモータを異なる動作速度に制御する第１の制御３５を備えたことである。
【００４１】
一例としては、第１のモータ２４の動作速度が、第２のモータの動作速度より速い制御である。このような構成によれば、第１の風向変更部１６と第２の風向変更部１７の位置は、お互いの速度が違うことで連続的にランダムな位置関係になり、第１の風向変更部１６と第２の風向変更部１７とが近接する部分を中心に、それらを介して吹出される送風は連続的に風向と風速がランダムに変更される。干された衣類に当たる風向と風速がランダムに変わることで、衣類が揺れる作用が働き、揺れることでさらに衣類に当たる風向と風速がランダムに変わるという作用が生まれることで、衣類に当たる送風の表面積が大きくなり、乾きムラを低減することで衣類乾燥速度を向上することができる。なお、第１のモータ２４の動作速度とは、第１のモータ２４の角速度であり、第２のモータの動作速度とは、第２のモータの角速度である。
【００４２】
また、制御部３４は、第１の制御における第１のモータ２４と第２のモータの動作速度を、一定時間ごとに変化させる制御である第２の制御を設けてもよい。
【００４３】
このような構成によれば、第１の風向変更部１６と第２の風向変更部１７の位置は、連続的にさらにランダムな位置関係になるので、衣類に当たる送風の表面積がさらに大きくなり、乾きムラを低減することでさらに衣類乾燥速度の向上することができる。
【００４４】
また、制御部３４は、第１の制御における第１のモータ２４と第２のモータの動作速度を、一定時間ごとに入れ替える制御である第３の制御を設けてもよい。
【００４５】
このような構成によれば、第１の風向変更部１６と第２の風向変更部１７の位置は、連続的にさらにランダムな位置関係になるので、衣類に当たる送風の表面積がさらに大きくなり、乾きムラを低減することでさらに衣類乾燥速度の向上することができる。
【００４６】
また、制御部３４は、第１の制御における第１のモータ２４と第２のモータの動作速度を、一定時間同じ動作速度に制御する第４の制御を設けてもよい。
【００４７】
このような構成によれば、第１の風向変更部１６と第２の風向変更部１７の位置が、同じ速度で揃うことにより、移動する第１の風向変更部１６と第２の風向変更部１７の位置を定位置で固定する場合に、容易に希望する位置に風向変更部をＯＦＦにして停止することが出来るため、風向変更部の使い勝手を向上することができる。
【産業上の利用可能性】
【００４８】
本発明にかかる除湿装置は、乾きムラを低減することで衣類乾燥速度の向上を可能とするものであるので、衣類乾燥用に使用される除湿装置等として有用である。
【符号の説明】
【００４９】
１    本体ケース
２    吸込口
３    吹出口
４    圧縮機
５    放熱器
６    膨張器
７    吸熱器
８    送風部
９    吸湿部
１０    放湿部
１１    除湿ロータ
１２    加熱部
１３    駆動部
１４    集水部
１５    集水タンク
１６    第１の風向変更部
１７    第２の風向変更部
１８    第１の移動部
２０    第１の風向板
２１    第１の軸部分
２２    第１の支持部分
２３    第１のギア
２４    第１のモータ
２５    第１のモータギア
２６    第２の風向板
２８    第２の支持部分
３２ａ    第１のサイドケース
３２ｂ    第２のサイドケース
３２ｃ    第３のサイドケース
３３    操作部
３４    制御部
【図１】
2018071792.tif 000003
【図２】
2018071792.tif 000004
【図３】
2018071792.tif 000005
【図４】
2018071792.tif 000006
【図５】
2018071792.tif 000007